【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
複数のシルクフィブロイン粒子を含む、対象の組織の修復または増強に使用するための注射可能な組成物であって、ここで、シルクフィブロイン粒子の少なくとも一部分が、少なくとも約6週間、修復または増強したい組織内でそれらの当初の容量の少なくとも約50％を保持する、組成物。
【請求項２】
シルクフィブロイン粒子が両親媒性ペプチドを含まない、請求項1記載の組成物。
【請求項３】
両親媒性ペプチドがRGDモチーフを含む、請求項2記載の組成物。
【請求項４】
シルクフィブロイン粒子の少なくとも一部分が、少なくとも約3ヶ月間、組織内でそれらの当初の容量の少なくとも約50％を保持する、請求項1〜3のいずれか一項記載の組成物。
【請求項５】
シルクフィブロイン粒子の少なくとも一部分が、少なくとも約6ヶ月間、組織内でそれらの当初の容量の少なくとも約50％を保持する、請求項1〜4のいずれか一項記載の組成物。
【請求項６】
シルクフィブロイン粒子の少なくとも一部分が、少なくとも約6週間、組織内でそれらの当初の容量の少なくとも約60％を保持する、請求項1〜5のいずれか一項記載の組成物。
【請求項７】
シルクフィブロイン粒子の少なくとも一部分が、少なくとも約6週間、組織内でそれらの当初の容量の少なくとも約70％を保持する、請求項6記載の組成物。
【請求項８】
シルクフィブロイン粒子の少なくとも一部分が、少なくとも約6週間、組織内でそれらの当初の容量の少なくとも約80％を保持する、請求項7記載の組成物。
【請求項９】
シルクフィブロイン粒子の少なくとも一部分が、少なくとも3ヶ月間、組織内でそれらの当初の容量の少なくとも約70％を保持する、請求項1〜8のいずれか一項記載の組成物。
【請求項１０】
シルクフィブロイン粒子の少なくとも一部分が、少なくとも約6週間でそれらの当初の容量の50％以下を分解するよう適合されている、請求項1〜9のいずれか一項記載の組成物。
【請求項１１】
シルクフィブロイン粒子の少なくとも一部分が、少なくとも約3ヶ月間でそれらの当初の容量の50％以下を分解するよう適合されている、請求項1〜10のいずれか一項記載の組成物。
【請求項１２】
シルクフィブロイン粒子の少なくとも一部分が、少なくとも約6週間でそれらの当初の容量の30％以下を分解するよう適合されている、請求項1〜11のいずれか一項記載の組成物。
【請求項１３】
シルクフィブロイン粒子の少なくとも一部分が、少なくとも約6週間でそれらの当初の容量の10％以下を分解するよう適合されている、請求項1〜12のいずれか一項記載の組成物。
【請求項１４】
シルクフィブロイン粒子の少なくとも一部分が、少なくとも約3ヶ月間でそれらの当初の容量の30％以下を分解するよう適合されている、請求項1〜13のいずれか一項記載の組成物。
【請求項１５】
シルクフィブロイン粒子が多孔質である、請求項1〜14のいずれか一項記載の組成物。
【請求項１６】
多孔質シルクフィブロイン粒子が、少なくとも約1％、少なくとも約5％、少なくとも約10％、少なくとも約15％、または少なくとも約30％の多孔度を有する、請求項15記載の組成物。
【請求項１７】
多孔質シルクフィブロイン粒子が、少なくとも約50％の多孔度を有する、請求項16記載の組成物。
【請求項１８】
多孔質シルクフィブロイン粒子が、少なくとも約70％の多孔度を有する、請求項17記載の組成物。
【請求項１９】
孔が、約10nm〜約1000μmのサイズを有する、請求項15〜18のいずれか一項記載の組成物。
【請求項２０】
孔が、約1μm〜約1000μmのサイズを有する、請求項19記載の組成物。
【請求項２１】
シルクフィブロイン粒子が、約500nm〜約5000μmのサイズを有する、請求項1〜20のいずれか一項記載の組成物。
【請求項２２】
シルクフィブロイン粒子が、約1μm〜約2000μmのサイズを有する、請求項21記載の組成物。
【請求項２３】
シルクフィブロイン粒子が、約10μm〜約1500μmのサイズを有する、請求項22記載の組成物。
【請求項２４】
多孔質シルクフィブロイン粒子が、機械的手段によって固体状多孔質シルクフィブロインから細小化されたものである、請求項15〜23のいずれか一項記載の組成物。
【請求項２５】
機械的手段が、微粒子化、摩砕、微粉砕、破砕、研削、切断、およびそれらの任意の組み合わせからなる群より選択される、請求項24記載の組成物。
【請求項２６】
固体状多孔質シルクフィブロインの多孔が、ポロゲン浸出法によって形成される、請求項24または25記載の組成物。
【請求項２７】
注射可能な組成物またはシルクフィブロイン粒子が、少なくとも1つの活性剤をさらに含む、請求項1〜26のいずれか一項記載の組成物。
【請求項２８】
少なくとも1つの活性剤が、生物学的活性剤、美容活性剤、細胞接着剤、造影剤、またはそれらの任意の組み合わせである、請求項27記載の組成物。
【請求項２９】
生物学的活性剤が、治療剤、麻酔剤、細胞成長因子、ペプチド、ペプチド模倣体、抗体またはその一部分、抗体様分子、核酸、多糖類、およびそれらの任意の組み合わせからなる群より選択される、請求項28記載の組成物。
【請求項３０】
細胞接着剤が、ヒアルロン酸、コラーゲン、架橋ヒアルロン酸／コラーゲン、インテグリン結合分子、キトサン、エラスチン、フィブロネクチン、ビトロネクチン、ラミニン、プロテオグリカン、それらの任意の誘導体、およびそれらの任意の組み合わせからなる群より選択される、請求項28記載の組成物。
【請求項３１】
美容活性剤が、アンチエイジング剤、抗フリーラジカル剤、抗酸化物質、水和剤、美白剤、着色剤、脱色剤、日焼け止め剤、筋弛緩剤、およびそれらの任意の組み合わせからなる群より選択される、請求項28記載の組成物。
【請求項３２】
細胞をさらに含む、請求項1〜31のいずれか一項記載の組成物。
【請求項３３】
細胞が幹細胞である、請求項32記載の組成物。
【請求項３４】
生物学的流体または濃縮物をさらに含む、請求項1〜33のいずれか一項記載の組成物。
【請求項３５】
生物学的流体または濃縮物が、吸引脂肪、吸引骨髄、またはそれらの任意の組み合わせである、請求項34記載の組成物。
【請求項３６】
生物学的流体または濃縮物が吸引脂肪である、請求項34記載の組成物。
【請求項３７】
シルクフィブロイン粒子 対 生物学的流体または濃縮物の容量比が、約3:19〜約6:19の範囲である、請求項34〜36のいずれか一項記載の組成物。
【請求項３８】
注射可能な組成物またはシルクフィブロイン粒子がヒドロゲルをさらに含む、請求項1〜37のいずれか一項記載の組成物。
【請求項３９】
注射可能な組成物またはシルクフィブロイン粒子が真皮充填材料をさらに含む、請求項1〜38のいずれか一項記載の組成物。
【請求項４０】
真皮充填材料が、ポリ（メチルメタクリレート）マイクロスフィア、ヒドロキシルアパタイト、ポリ（L-乳酸）、ヒアルロン酸、コラーゲン、およびそれらの任意の組み合わせからなる群より選択される、請求項39記載の組成物。
【請求項４１】
薬学的に許容される担体をさらに含む、請求項1〜40のいずれか一項記載の組成物。
【請求項４２】
乾燥状態で保管または輸送される、請求項1〜41のいずれか一項記載の組成物。
【請求項４３】
約0℃〜約60℃の間の温度で保管または輸送される、請求項42記載の組成物。
【請求項４４】
約10℃〜約60℃の間の温度で保管または輸送される、請求項43記載の組成物。
【請求項４５】
約15℃〜約60℃の間の温度で保管または輸送される、請求項44記載の組成物。
【請求項４６】
請求項1〜45のいずれか一項記載の注射可能な組成物を含む、送達デバイス。
【請求項４７】
シリンジをさらに含む、請求項46記載の送達デバイス。
【請求項４８】
シリンジが針をさらに含む、請求項47記載の送達デバイス。
【請求項４９】
カテーテルをさらに含む、請求項46〜48のいずれか一項記載の送達デバイス。
【請求項５０】
注射用担体をさらに含む、請求項46〜49のいずれか一項記載の送達デバイス。
【請求項５１】
請求項1〜45のいずれか一項記載の注射可能な組成物を含む、シリンジ。
【請求項５２】
針をさらに含む、請求項51記載のシリンジ。
【請求項５３】
カテーテルをさらに含む、請求項51または52記載のシリンジ。
【請求項５４】
注射用担体をさらに含む、請求項51〜53のいずれか一項記載のシリンジ。